【手続補正書】
【提出日】平成19年2月19日(2007.2.19)
【手続補正１】
【補正対象書類名】明細書
【補正対象項目名】全文
【補正方法】変更
【補正の内容】
【書類名】      明細書
【発明の名称】  畦塗り機
【特許請求の範囲】
【請求項１】  走行機体に装着され、該走行機体から動力を受け、畦塗り用
の泥土を畦形成箇所に供給する土盛り装置と、該土盛り装置の後方に位置して、
前記土盛り装置により供給された泥土を回転しながら畦に成形していく畦形成装
置とを備え、該畦形成装置は、その外周側から回転中心に向かって順に土と接触
しながら整形していく整畦体を有することを特徴とする畦塗り機。
【請求項２】  走行機体に装着され、該走行機体から動力を受け、畦塗り用
の泥土を畦形成箇所に供給する土盛り装置と、該土盛り装置の後方に位置して、
前記土盛り装置により供給された泥土を回転しながら畦に成形していく畦形成装
置とを備え、該畦形成装置は、その外周側から回転中心に向かって順に土と接触
する作用面を形成した整畦体を有することを特徴とする畦塗り機。
【請求項３】  走行機体に装着され、該走行機体から動力を受け、畦塗り用
の泥土を畦形成箇所に供給する土盛り装置と、該土盛り装置の後方に位置して、
前記土盛り装置により供給された泥土を回転しながら畦に成形していく畦形成装
置とを備え、該畦形成装置は、回転方向に対し、逆位相状態に配設した作用面を
形成した整畦体を有することを特徴とする畦塗り機。
【請求項４】  整畦体は、回転中心から放射方向に複数に分割された分割片により形成されていることを特徴とする請求項１、２又は３記載の畦塗り機。
【請求項５】  整畦体は、一体的に形成されていることを特徴とする請求項
１，２又は３記載の畦塗り機。
【請求項６】  整畦体の作用面は、平面視直線状であることを特徴とする請
求項２、３、４又は５記載の畦塗り機。
【請求項７】  整畦体の作用面は、平面視曲線状であることを特徴とする請
求項２、３、４又は５記載の畦塗り機。
【請求項８】  整畦体の各分割片は、相互に重なり部分を有することを特徴
とする請求項４、６又は７記載の畦塗り機。
【請求項９】  整畦体の各分割片は、相互に上下間隔を有することを特徴と
する請求項４、６又は７記載の畦塗り機。
【請求項１０】  整畦体の各分割片は、相互に上下間隔と重なり部分を有す
ることを特徴とする請求項４、６又は７記載の畦塗り機。
【発明の詳細な説明】
【０００１】
【発明の属する技術分野】
本発明は、畦形成装置のドラム状の整畦体が、その外周側から回転中心に向か
って順に土と接触しながら整形していく機能を備えた畦塗り機に関する。
【０００２】
【従来の技術】
従来、走行機体に装着され、該走行機体から動力を受け、畦塗り用の泥土を畦
形成箇所に供給する土盛り装置と、該土盛り装置の後方に位置して、前記土盛り
装置により供給された泥土を回転しながら畦に成形していく整畦体を有する畦形
成装置とを備え、整畦体が円錐状多面ドラムにより形成されている畦塗り機が、
例えば特開２００１−１６１１０７号により周知である。そして、円錐状多面ド
ラムａは、図２８〜図３８に示すように、整畦面Ｃのドラム取付け側中心とドラ
ム回転軸ｂの軸心とがずれるようにして取付けた傘状のもので、径方向に段差部
ｄあるいは境界線のみで稜線ｅを形成して８枚の整畦面ｃを形成している。
【０００３】
図２８〜図３１に示す円錐状多面ドラムａは、整畦面Ｃのドラム取付け側中心
が回転軸ｂの軸心とずれるようにしてドラムを回転軸ｂに取り付けており、整畦
面ｃは、その回転（矢印）方向前部が低く、後部が高くなるように傾斜しており、
ドラムａが回転したときに、整畦面ｃはラジアル方向の前半部が土に対して非接
触面、後半部が接触面となって整畦するようにしている。また、稜線ｅは回転方
向に後退角を有していて直線状である。
【０００４】
図３２に示す円錐状多面ドラムａは、稜線ｅ−１が回転方向に後退角を有して
弯曲している。図３３に示す円錐状多面ドラムａは、稜線ｅが直線状である。
【０００５】
図３４ないし図３８に示す円錐状多面ドラムａは、図２８〜図３３に示されて
いるドラムａから段差部ｄをなくしたものである。図３４ないし図３７に示す円
錐状多面ドラムａは、整畦面Ｃのドラムの取付け側中心が回転軸ｂの軸心とずれ
るようにしてドラムを回転軸ｂに取り付けており、稜線ｅは回転方向に後退角を
有していて直線状であり、その稜線ｅ位置には、図３６に示すように離間重合部
ｇあるいは段差接合部ｆを形成している。図３８に示す円錐状多面ドラムａは、
回転方向に後退角を有して弯曲する稜線ｅ−１を形成している。
【０００６】
【発明が解決しようとする課題】
このように、従来の円錐状多面ドラムａは、上記図２８〜図３８に示されるよ
うに構成されているので、円錐状多面ドラムａが回転して整畦作業を行うとき、
各整畦面ｃの土壌への接触面が、図３９〜図４１に(１)〜(５)で示すように、その回
転中心側から外周に向かって順に土と接触しながら整形していくことになる。あ
るいは、図４２に(１)〜(１)で示すように、回転中心部から外周部までほぼ同時に土
と接触しながら整形していくことになる。このため、円錐状多面ドラムａにより
畦の法面に塗り付けられる土は、畦の上部から下部に移動し、畦の下端側へのけ
り出しを生じ、あるいは下端側及び上端側へのけり出しが生じることになり、ま
た、土質によっては畦の上端部の土が少なくなって肩部の強度が弱くなる、とい
う問題点があった。本発明は、このような問題点を解決することを目的になされ
たものである。
【０００７】
【課題を解決するための手段】
上記の目的を達成するために本発明は、以下の構成を有することを特徴として
いる。
Ａ．走行機体に装着され、該走行機体から動力を受け、畦塗り用の泥土を畦形成
箇所に供給する土盛り装置と、該土盛り装置の後方に位置して、前記土盛り装置
により供給された泥土を回転しながら畦に成形していく畦形成装置とを備え、該
畦形成装置は、その外周側から回転中心に向かって順に土と接触しながら整形し
ていく整畦体を有する。
【０００８】
Ｂ．走行機体に装着され、該走行機体から動力を受け、畦塗り用の泥土を畦形成
箇所に供給する土盛り装置と、該土盛り装置の後方に位置して、前記土盛り装置
により供給された泥土を回転しながら畦に成形していく畦形成装置とを備え、該
畦形成装置は、その外周側から回転中心に向かって順に土と接触する作用面を形
成した整畦体を有する。
【０００９】
Ｃ．走行機体に装着され、該走行機体から動力を受け、畦塗り用の泥土を畦形成
箇所に供給する土盛り装置と、該土盛り装置の後方に位置して、前記土盛り装置
により供給された泥土を回転しながら畦に成形していく畦形成装置とを備え、該
畦形成装置は、回転方向に対し、逆位相状態に配設した作用面を形成した整畦体
を有する。
【００１０】
Ｄ．整畦体は、回転中心から放射方向に複数に分割された分割片により形成されている。
Ｅ．整畦体は、一体的に形成されている。
Ｆ．整畦体の作用面は、平面視直線状である。
Ｇ．整畦体の作用面は、平面視曲線状である。
Ｈ．整畦体の各分割片は、相互に重なり部分を有する。
Ｉ．整畦体の各分割片は、相互に上下間隔を有する。
Ｊ．整畦体の各分割片は、相互に上下間隔と重なり部分を有する。
【００１１】
【作用】
上記Ａ．〜Ｊ．（請求項１〜１０）の構成により本発明の畦塗り機における畦
形成装置（整畦体）は、土盛り装置により供給された泥土を回転しながら法面に
塗り付けて畦に成形していくときに、その外周側から回転中心に向かって順に土
と接触しながら整形していくことになり、土盛り装置により供給された泥土を下
方から上方に向け押し上げながら塗り付けて畦を形成する。このため、土盛り装
置により供給された泥土のすべてを畦の法面に塗り付けて強固な畦を形成する。
また、供給された泥土の量が多くて法面上端側にけり出しが発生したとしても、
このけり出し分の泥土は畦の上面に塗り付けられて天場を形成する。
【００１２】
【発明の実施の形態】
以下、本発明の実施の形態を添付の図面を参照して具体的に説明する。
図１において、符号１は図示しないトラクタの後部に設けられたトップリンク
及びロアリンクからなる三点リンク連結機構に連結されて、整畦作業を行う畦塗
り機である。この畦塗り機１は、前部フレーム２に、前方に向け突出し、トラク
タのＰＴＯ軸からユニバーサルジョイント及び伝動軸を介して動力を受ける入力
軸（図示せず）を有する入力部３を設け、また、上方に向け突出するトップリン
ク連結部４を設けると共に、左右に支持アーム５，５を介してロアリンク連結部
６，６を設け、トラクタの三点リンク連結機構に連結するようにしている。
【００１３】
前部フレーム２の後部に前端が枢着された左右一対の平行リンク７，８の後端
部に本体フレームを兼ねる伝動フレーム９が枢着され、左右移動（オフセット）
可能になっている。上記入力部３から後方に突出した出力軸（図示せず）から、
両端にユニバーサルジョイントを装着した伝動軸１０を介して、伝動フレーム９
の前側に設けた伝動ボックス１１に動力が伝達される。平行リンク７が伝動ボッ
クス１１に枢着された位置と、平行リンク８との間に、オフセット量調節用伸縮
装置１２が介装され、その伸縮により伝動フレーム９、後述する土盛り装置１４
及び整畦体（畦形成装置）１６のオフセット量が調節可能となっている。
【００１４】
伝動ケース９の一側（図面で右側）には、前方に延びる伝動ケース１３を介し
て、畦塗り用の泥土を畦形成箇所に供給するロータリ耕耘装置からなる土盛り装
置１４が支持されている。この土盛り装置１４は、図示しないが、前後方向に延
びる耕耘軸（作業軸）の外周に多数の耕耘爪を取付けたものである。また、この
土盛り装置１４の後方に、伝動ケース１５を介して、畦形成装置を設けている。
この畦形成装置は、土盛り装置１４により供給された泥土を畦に成形する多角円
錐状ドラム１９からなる整畦体１６を備えている。この整畦体１６の回転中心部
の外側部には、水平筒状体１７が一体的に設けられ、整畦体１６と共に回転して、
整畦体１６により成形された畦の頂部を平らにして天場を成形するようにしてい
る。
【００１５】
ここで本発明においては、前記多角円錐状ドラム１９からなる整畦体１６を、
図１ないし図２７に示すように構成し、整畦作用を行うようにしている。図１な
いし図５に示す整畦体１６の第１実施例のものは、稜線１８により８つに区切ら
れた整畦面（多角円錐状ドラム）１９の回転軸取付け側中心点１９ａを、回転軸
２０の中心Ｏより偏心させて取付け部２１を介して回転軸２０に取付けている。
この第１実施例のものでは作用面となる各稜線１８は平面視直線をなし、整畦体１６の回転方向に対し逆位相状態に配設されており、作用面は外周側から回転中心に向かって順に土と接触しながら整形していくようになっている。
【００１６】
また、整畦体１６は、その回転中心から放射方向に複数の分割片１９で分割さ
れ、各分割片１９は図４及び図５に示すように相互に重なり部分を有している。
この重なり部分には、上下間隔１９ｂ（図５（ａ））を設け、または、段差接合
部１９（ｃ）（図５（ｂ））により接合し、中心部を取付け部２１に一体的に取
付けて多角円錐状ドラムを形成している。そして、整畦体１６は、分割片（整畦面）１９の回転軸取付け側中心点を、回転軸２０の中心Ｏより回転方向後方側に偏心させて取付部２１を介して回転軸２０に取付けられ、さらに、回転軸と交差する方向にわずかに偏心して回転軸２０に取付けられている。
【００１７】
整畦体１６の第２実施例を図６に、第３実施例を図７に、それぞれのＢ−Ｂ、
Ｃ−Ｃ断面図を図８に示すが、第２実施例と第３実施例とは、図９にも示すよう
に中心部内側固定具２１ａと２１ｂの形状が異なるだけで、その他の構成は第１
実施例と同じである。図１０ないし図１２及び図１３に示す整畦体１６の第４実
施例及び第５実施例も中心部内側固定具２１ｂの形状が異なるだけで、その他の
構成は第１実施例のものと同様である。
【００１８】
このように構成された各実施例の整畦体１６の動作、作業について図１４ない
し図１６を参照し、代表して説明すると、土盛り装置１４により供給された泥土
は、整畦体１６が回転しながら畦となる法面に塗り付けて畦Ｎを成形する。この
とき整畦体１６は、その外周側(１)から回転中心側(５)に向かって順に土と接触しな
がら整形していくことになり、土盛り装置１４により供給された泥土を法面下方
から上方に向け押し上げながら塗り付けて畦Ｎを形成する。このため、土盛り装
置１４によって供給された泥土のすべてを畦Ｎの法面に塗り付けて強固な畦を形
成することになる。また、供給された泥土の量が多くて法面上端側にけり出しが
発生したとしても、このけり出し分の泥土は、水平筒状体１７により畦Ｎの上面
に塗り付けられて天場が形成される。
【００１９】
図１７に示す整畦体１６の第６実施例のものは、第１〜第５実施例のものでは
各稜線（作用面）１８が平面視直線をなしていたのに対し、作用面となる稜線１
８ａが平面視曲線状である。そして、この第６実施例のものは、第１〜第５実施
例のものと同様に、整畦体１６の回転方向に対し各分割片１９が逆位相状態に配
設されており、作用面は外周側から回転中心に向かって順に土と接触しながら整
形していくようになっている。その作業態様を図１８に示すが、第１〜第５実施
例のものと同様の動作、作業が行われる。
【００２０】
図１９ないし図２２に示す整畦体１６の第７実施例のものは、各分割片１９同
士の連結を、分割片１９の回転方向後端縁に屈折段部１９ｄを形成し、隣接する
分割片１９の始端縁と溶接などの手段により接合したものである。その他の構成
は第１実施例のものと同様である。図２３に示す整畦体１６の第８実施例のもの
は、第７実施例における作用面となる各稜線１８が平面視直線をなしていたのに
対し、稜線（作用面）１８ａを平面視曲線状にしたものある。そして、これら第
７，第８実施例のものにおいても、上記第１〜第６実施例のものと同様の動作、
作業を行う。
【００２１】
図２４及び図２５に示す整畦体１６の第９及び第１０実施例のものは、円錐状
ドラム１９をベースにして、図２７に示すように第９実施例のものは放射方向に
６個の凸部１９ｅをプレス等により等分に形成してドラムを６等分し、稜線（作
用面）１８は平面視直線をなし、整畦体１６の回転方向に対し逆位相状態に配設
されている。また、第１０実施例のものは、第９実施例の凸部１９ｅに代えて凸
部材１９ｆを固着したものである。この両実施例においても、整畦体１６の回転
方向に対し各分割片１９が逆位相状態に配設されており、作用面は外周側から回
転中心に向かって順に土と接触しながら整形していくようになっている。図２６
に示す整畦体１６の第１１実施例のものは、各分割片１９の端縁間にわずかな間
隙１９ｇを形成したものである。その他の構成及び動作、作業は第１実施例のも
のと同様である。なお、本発明の整畦体１６は、円錐状ドラムによっても構成す
ることができる。
【００２２】
伝動ケース９の他側（図面で左側）には、三角ディスク状のゲージホイール２
２が上下調節支持部２３により上下調節可能に支持されている。このゲージホイ
ール２２は、上下調節支持部２３により上下調節することにより、畦塗り機１の
接地高さが調節されて、土盛り装置１４及び整畦体１６の作用深さが調節されて
、形成される畦の高さを変えることができる。
【００２３】
また、整畦体１６は、回転軸２０に交差する方向にわずかに偏心して取付けられているが、その偏心量（振れ幅）は調節可能である。また、整畦体１６は、多角円錐状ドラム１９が偏心回転することにより、多角の稜線１８，１８ａと整畦面１９が偏心しながら回転して畦法面を叩いて固く整畦し、水平筒状体１７により畦頂部を平面状に成形して天場を形成することにより、新しい畦Ｎを完成させる。
【００２４】
このような構成の畦塗り機１においては、トラクタの後部に三点リンク連結機
構を介して連結され、トラクタから入力部３に動力を受けて伝動軸１０を介して
伝動ボックス１１に伝達し、伝動フレーム９から伝動ケース１３及び１５を介し
て土盛り装置１４及び整畦体１６、水平筒状体１７を駆動してトラクタの走行と
共に整畦作業を行う。土盛り装置１４及び整畦体１６の作用深さを深く（整畦高
さを高く）するときは、上下調節支持部２３によりゲージホイール２２を上方に
上げ、土盛り装置１４及び整畦体１６の作用深さを浅く（整畦高さを低く）する
ときは、上下調節支持部２３によりゲージホイール２２を下方に下げる。また、
土盛り装置１４及び整畦体１６のそれぞれの作用深さを調節する。
【００２５】
土盛り装置１４及び整畦体１６のオフセット量を調節するときは、オフセット
量調節用伸縮装置１２の伸縮により平行リンク７，８が移動して伝動フレーム９
、土盛り装置１４及び整畦体１６を所定量オフセットさせる。
【００２６】
整畦体１６においては、分割片（整畦面）１９の取付け側中心点１９ａを回転軸２０の中心Ｏから偏心させることで、整畦面１９はラジアル方向の接触面がほぼ連続的に土壌に接しながら回転して整畦作業を行うことになり、整畦体１６の回転による振動変化が小さくなる。また、整畦面１９の非接触面への土の付着や土のけり出しを減少させる。
【００２７】
【発明の効果】
以上説明したように本発明の畦塗り機によれば、請求項１〜１０の構成を有す
ることにより以下の作用効果を奏することができる。
【００２８】
畦形体は、その外周側から回転中心に向かって順に土と接触しながら畦を整形
するので、土盛り装置により供給された泥土を回転しながら法面に塗り付けて畦
を成形していくときに、その外周側から回転中心に向かって順に土と接触しなが
ら整形していくことになり、土盛り装置により供給された泥土を下方から上方に
向け押し上げながら塗り付けて畦を形成することができる。このため、土盛り装
置により供給された泥土のすべてを畦の法面に塗り付けて強固な畦を形成する。
また、供給された泥土の量が多くて法面上端側にけり出しが発生したとしても、
このけり出し分の泥土は畦の上面に塗り付けられて天場を形成することができる
。また、多面体ドラムはラジアル方向の接触面がほぼ連続的に土壌に接しながら
回転して整畦作業を行い、整畦体の回転による振動変化を小さくすることができ、快適な作業を実施することができる。
【図面の簡単な説明】
【図１】
本発明による畦塗り機の全体平面図である。
【図２】
本発明による整畦体の第１実施例の正面図である。
【図３】
同側面図である。
【図４】
同部分拡大断面図である。
【図５】
図４Ａ部の拡大断面図（ａ）、（ｂ）は他の実施例の拡大断面図である。
【図６】
本発明による整畦体の第２実施例の側面図である。
【図７】
本発明による整畦体の第３実施例の側面図である。
【図８】
図６及び図７のＢ−Ｂ断面図（ａ）、Ｃ−Ｃ断面図（ｂ）である。
【図９】
図６の部分断面図である。
【図１０】
本発明による整畦体の第４実施例の正面図である。
【図１１】
同背面図である。
【図１２】
同法視図である。
【図１３】
本発明による整畦体の第５実施例の法視図である。
【図１４】
図３の作用説明図である。
【図１５】
図２の作用説明図である。
【図１６】
図１０の作用説明図である。
【図１７】
本発明による整畦体の第６実施例の正面図である。
【図１８】
同作用説明図である。
【図１９】
本発明による整畦体の第７実施例の側面図である。
【図２０】
同部分拡大断面図である。
【図２１】
図２０のＡ部の拡大断面図である。
【図２２】
本発明による整畦体の第７実施例の正面図である。
【図２３】
本発明による整畦体の第８実施例の正面図である。
【図２４】
本発明による整畦体の第９実施例の正面図である。
【図２５】
本発明による整畦体の第１０実施例の正面図である。
【図２６】
本発明による整畦体の第１１実施例の正面図である。
【図２７】
（ａ）は図２４の部分拡大断面図、（ｂ）は図２５の部分拡大断面図、（ｃ）
は図２６の部分拡大断面図である。
【図２８】
整畦体の従来例１の側面図である。
【図２９】
同部分断面図である。
【図３０】
図２９Ａ部の拡大断面図である。
【図３１】
整畦体の従来例１の正面図である。
【図３２】
整畦体の従来例２の正面図である。
【図３３】
整畦体の従来例３の正面図である。
【図３４】
整畦体の従来例４の側面図である。
【図３５】
同部分断面図である。
【図３６】
図３５Ａ部の拡大断面図（ａ）、（ｂ）は他の実施例の拡大断面図である。
【図３７】
整畦体の従来例４の正面図である。
【図３８】
整畦体の従来例５の正面図である。
【図３９】
図３４の作用説明図である。
【図４０】
図３７の作用説明図である。
【図４１】
図３８の作用説明図である。
【図４２】
整畦体の従来例５の作用説明図である。
【符号の説明】
１  畦塗り機
２  前部フレーム
３  入力部
４  トップリンク連結部
５  支持アーム
６  ロアリンク連結部支持フレーム
７，８  平行リンク
９  伝動フレーム
１０  伝動軸
１１  入力部
１２  オフセット量調節用伸縮装置
１３，１５  伝動ケース
１４  土盛り装置
１６  整畦体（多角円錐状ドラム）
１７  水平筒状体（畦天場形成体）
１８  直線状稜線（作用面）  １８ａ  円弧状稜線（作用面）
１９  整畦面（多角円錐状ドラム、分割片）
２０  回転軸  Ｏ  回転軸の中心
２１  取付け部
２２  ゲージホイール
２３  上下調整装置